(57)【要約】【課題】換気パイプを換気穴に挿通固定する際に、換気パイプにおける屋外側の端部に施されたシールが破壊されにくい換気アダプタ並びにこの換気アダプタを用いた、換気ファンユニット及び換気穴に対する換気パイプのシール構造を提供する。【解決手段】ゴムブッシュ１０は、フランジ部１２がシール材を介して外壁Ｗの壁面に密着するように、換気パイプＥＰの浴室側の端部に装着された本体部１１を浴室側から換気穴ＥＨに嵌着した状態で、フランジ部１２の外面から突出する突起１３が、外壁Ｗの壁面に取り付けられた浴室暖房乾燥機１の背面に当接するようになっており、換気アダプタ２０は、嵌合溝２３内にシール材を充填すると共にシール材塗布領域２４にシール材を塗布した後、換気パイプＥＰの屋外側の端部にパイプ接続口２２を差し込むようにして嵌合溝２３に換気パイプＥＰの端部を嵌め込んだ状態で、基板２１が外壁Ｗの壁面にビス止めされている。【選択図】        図１
2004317121.tif 000002
【特許請求の範囲】
【請求項１】
浴室を形成している外壁を貫通する換気穴に挿通される浴室暖房機用の換気パイプを、前記外壁における屋外側で固定する換気アダプタであって、
前記外壁における屋外側の壁面に固定設置される、筒状の接続口を有する基板を備え、
前記基板の内面側には、前記接続口の外側に前記換気パイプの端部が嵌り込む環状の嵌合溝と、その嵌合溝の外側を囲うように環状のシール材塗布領域とが形成されていることを特徴とする換気アダプタ。
【請求項２】
浴室を形成している外壁の屋外側の壁面に取り付けられる浴室暖房機用の換気ファンユニットであって、
請求項１に記載の換気アダプタと、前記換気アダプタに装着されるケーシングと、前記ケーシング内に収容される換気ファンとを備えた換気ファンユニット。
【請求項３】
請求項１に記載の換気アダプタを用いて、浴室を形成している外壁を貫通する換気穴に挿通固定される換気パイプの前記換気穴に対するシール構造であって、
前記換気アダプタが前記外壁に固定設置された状態では、前記嵌合溝に充填されたシール材によって、前記嵌合溝と前記嵌合溝に嵌り込んだ前記換気パイプの端部とがシールされていると共に、前記シール材塗布領域に塗布されたシール材によって、前記基板と前記外壁の壁面とがシールされていることを特徴とする換気穴に対する換気パイプのシール構造。
【発明の詳細な説明】
【技術分野】
【０００１】
この発明は、浴室を形成している外壁を貫通する換気穴に挿通される浴室暖房機用の換気パイプを屋外側で固定する換気アダプタ並びにこの換気アダプタを用いた換気ファンユニット及び換気穴に対する換気パイプのシール構造に関する。
【背景技術】
【０００２】
温水暖房熱源機から供給される温水の熱を利用して浴室内に温風を吹き出すことによって浴室内の暖房を行う浴室暖房乾燥機には、浴室内の湿度の高い空気を屋外に排気するための換気ファンが搭載されたものがあり、こういった浴室暖房乾燥機は、通常、浴室を形成している外壁の浴室側の壁面に取り付けた状態で、その取付領域内に形成された換気穴を通して浴室内の空気が屋外に排気されるようになっている。
【０００３】
ところで、浴室内の空気を外壁に形成された換気穴を通して屋外に排気する際、換気穴から外壁内に湿度の高い浴室内の空気が進入しないように、換気穴には換気パイプが挿通固定されるようになっており、換気穴に挿通された換気パイプは、その一端側（浴室側の端部）がゴムブッシュによって換気穴に固定されると共に、このゴムブッシュを利用して換気穴と換気パイプとの間に形成される隙間がシールされるようになっている。
【０００４】
前記ゴムブッシュは、図６（ａ）〜（ｃ）に示すように、換気穴に挿通される換気パイプの一端側（浴室側の端部）に装着される筒状の本体部５１と、この本体部５１の一端側から外側に張り出すフランジ部５２とを備えており、このゴムブッシュ５０が装着された換気パイプを、浴室側から換気穴に挿通してゴムブッシュ５０の本体部５１を換気穴に嵌着することによって、換気穴に挿通された換気パイプの一端側がゴムブッシュ５０を介して換気穴に固定されるようになっている。
【０００５】
また、ゴムブッシュ５０を換気穴に嵌着する際は、フランジ部５２の内面に予めシール材を塗布しておき、フランジ部５２の内面を外壁の壁面に密着させることによって、シール材を介してフランジ部５２を浴室の壁面にシールすることで、換気穴と換気パイプとの間に浴室側から湿度の高い空気が進入しないようになっている。
【０００６】
一方、換気穴に挿通される換気パイプの他端側（屋外側の端部）は、浴室を形成している外壁の屋外側の壁面に取り付けられる換気アダプタによって固定されるようになっており、屋外側から換気穴と換気パイプとの間に充填されたシール材によって、換気穴の屋外側の端部をシールすることで、換気パイプを通って屋外側の端部から排出される浴室内の湿度の高い空気が換気穴と換気パイプとの間に進入しないようになっている。
【０００７】
前記換気アダプタは、図７に示すように、外壁の壁面に固定される基板６１と、この基板６１の内面側に突出した筒状の接続口６２を備えており、この接続口６２を換気パイプの端部に差し込んだ状態で基板６１を外壁の壁面に固定することによって、換気パイプの屋外側の端部が所定状態に保持されるようになっている。
【０００８】
上述したようなゴムブッシュ５０及び換気アダプタ６０を用いて換気パイプを外壁に形成された換気穴に挿通固定するには、まず、図８（ａ）に示すように、ゴムブッシュ５０の本体部５１に換気パイプＥＰの一端側を差し込んでアルミニウムテープＡＴを巻き付けることによって両者を固定した後、フランジ部５２の内面にシール材ＳＭを塗布する。このようにしてゴムブッシュ５０が装着された換気パイプＥＰを、同図（ｂ）に示すように、浴室側から換気穴ＥＨに挿通し、ゴムブッシュ５０のフランジ部５２が浴室の壁面に密着するように、ゴムブッシュ５０を換気穴ＥＨに嵌着することで換気パイプＥＰの一端側を換気穴ＥＨに固定すると共に、フランジ部５２と浴室の壁面とをシール材ＳＭによってシールした後、浴室の壁面に浴室暖房乾燥機７０を取り付ける。
【０００９】
続いて、図９（ａ）に示すように、屋外側から換気穴ＥＨと換気パイプＥＰとの間にシール材ＳＭを充填した後、同図（ｂ）に示すように、換気アダプタ６０の接続口６２を換気パイプＥＰの屋外側の端部に差し込んだ状態で、換気アダプタ６０の基板６１を外壁の壁面に固定すると、換気穴ＥＨと換気パイプＥＰとが浴室側と屋外側とにおいてシールされた状態で換気パイプＥＰが換気穴ＥＨに挿通固定される。
【００１０】
【特許文献１】特開２００１−１０８２５５号公報
【特許文献２】特開平１１−２５７７０１号公報
【特許文献３】特開平０６−１５４４８５号公報
【特許文献４】実願昭５７−１４５７０３号（実開昭５９−５１２８３号公報）のマイクロフィルム
【発明の開示】
【発明が解決しようとする課題】
【００１１】
ところで、換気ファンが搭載された浴室暖房乾燥機７０を浴室の壁面に取り付けた状態では、図８（ｂ）に示すように、通常、その背面が換気穴ＥＨに嵌着されたゴムブッシュ５０のフランジ部５２に接触しているので、図９（ｂ）に示すように、換気パイプＥＰの屋外側の端部に換気アダプタ６０の接続口６２を差し込むようにして換気アダプタ６０を外壁の壁面に固定する際、換気パイプＥＰが浴室側に押されたとしても、換気パイプＥＰが浴室側に動くことがなく、フランジ部５２と壁面との間に施されたシールが破壊されることはない。
【００１２】
しかしながら、屋外に別途換気ファンユニットを設置するタイプの浴室暖房乾燥機では、図１０（ａ）に示すように、浴室暖房乾燥機８０の背面と浴室の壁面との間にある程度の隙間Ｓが形成されるように、浴室暖房乾燥機８０を浴室の壁面に取り付け、この隙間Ｓから浴室内の空気を吸い込ませるようにするのが一般的であるので、換気パイプＥＰの浴室側の端部を固定しているゴムブッシュ５０のフランジ部５２と浴室暖房乾燥機８０の背面との間には隙間が形成されることになる。
【００１３】
従って、換気アダプタ６０を外壁の壁面に取り付ける際、換気パイプＥＰが浴室側に強い力で押されると、同図（ｂ）に示すように、換気パイプＥＰが浴室側に移動する場合があり、そのような場合は、シール材ＳＭを介して浴室の壁面に密着しているゴムブッシュ５０のフランジ部５２が壁面から離反し、浴室の壁面とフランジ部５２との間に施されているシールが破壊されるといった問題がある。
【００１４】
また、換気穴ＥＨと換気パイプＥＰとの間の隙間が大きくなると、換気パイプＥＰの屋外側の端部に換気アダプタ６０の接続口６２を差し込んで接続する際や、換気パイプＥＰが接続された換気アダプタ６０を外壁の壁面に固定する際に、換気パイプＥＰの屋外側の端部が換気穴ＥＨの径方向に動きやすく、換気パイプＥＰと換気穴ＥＨとの間にシール材を充填することによって、換気穴ＥＨと換気パイプＥＰとの間に施されたシールが破壊される恐れがある。
【００１５】
そこで、この発明の課題は、換気パイプを換気穴に挿通固定する際に、換気パイプにおける屋外側の端部に施されたシールが破壊されにくい換気アダプタ並びにこの換気アダプタを用いた、換気ファンユニット及び換気穴に対する換気パイプのシール構造を提供することにある。
【課題を解決するための手段】
【００１６】
上記の課題を解決するため、請求項１にかかる発明は、浴室を形成している外壁を貫通する換気穴に挿通される浴室暖房機用の換気パイプを、前記外壁における屋外側で固定する換気アダプタであって、前記外壁における屋外側の壁面に固定設置される、筒状の接続口を有する基板を備え、前記基板の内面側には、前記接続口の外側に前記換気パイプの端部が嵌り込む環状の嵌合溝と、その嵌合溝の外側を囲うように環状のシール材塗布領域とが形成されていることを特徴とする換気アダプタを提供するものである。
【００１７】
また、上記の課題を解決するため、請求項２にかかる発明は、浴室を形成している外壁の屋外側の壁面に取り付けられる浴室暖房機用の換気ファンユニットであって、請求項１に記載の換気アダプタと、前記換気アダプタに装着されるケーシングと、前記ケーシング内に収容される換気ファンとを備えた換気ファンユニットを提供するものである。
【００１８】
また、上記の課題を解決するため、請求項３にかかる発明は、請求項１に記載の換気アダプタを用いて、浴室を形成している外壁を貫通する換気穴に挿通固定される換気パイプの前記換気穴に対するシール構造であって、前記換気アダプタが前記外壁に固定設置された状態では、前記嵌合溝に充填されたシール材によって、前記嵌合溝と前記嵌合溝に嵌り込んだ前記換気パイプの端部とがシールされていると共に、前記シール材塗布領域に塗布されたシール材によって、前記基板と前記外壁の壁面とがシールされていることを特徴とする換気穴に対する換気パイプのシール構造を提供するものである。
【発明の効果】
【００１９】
以上のように、請求項１にかかる発明の換気アダプタは、浴室を形成している外壁における屋外側の壁面に固定設置される、筒状の接続口を有する基板の内面側に、接続口の外側に換気パイプの端部が嵌り込む環状の嵌合溝と、その嵌合溝の外側を囲うように環状のシール材塗布領域とが形成されているので、嵌合溝にシール材を充填すると共にシール材塗布領域にシール材を塗布した状態で、嵌合溝に換気パイプの端部を嵌め込んで基板を外壁の壁面に固定すると、換気穴に挿通された換気パイプの屋外側の端部が換気アダプタを介して固定され、前記嵌合溝に充填されたシール材によって、前記嵌合溝と前記嵌合溝に嵌り込んだ前記換気パイプの端部とがシールされると共に、前記シール材塗布領域に塗布されたシール材によって、前記基板と前記外壁の壁面とがシールされている、請求項３に係るシール構造が実現される。
【００２０】
以上のように構成されたシール構造では、換気穴と換気パイプとの隙間を直接シールしているわけではないが、換気パイプと換気アダプタとが接続口の外側に形成された嵌合溝部分で相互にシールされていると共に、嵌合溝を囲うように形成された環状のシール材塗布領域部分で換気アダプタの基板の内面と外壁の壁面とがシールされているので、換気パイプを通って屋外に排出される浴室内の湿度の高い空気が、換気アダプタの接続口部分から換気穴と換気パイプとの間に進入することがなく、一旦屋外に排気された浴室内の湿度の高い空気が、基板と外壁の壁面との間から換気穴と換気パイプとの間に進入することもない。
【００２１】
また、このシール構造は、従来のシール構造のように、換気穴に挿通された換気パイプと換気穴との間にシール材を充填することによって、換気穴と換気パイプとの隙間を直接シールしているわけではないので、換気パイプの屋外側の端部に換気アダプタを接続する際や、換気パイプに接続された換気アダプタを外壁の壁面に固定する際、換気パイプの屋外側の端部が換気穴の中でその径方向に動いたとしても、シール破壊（シール不良）が発生することはなく、換気穴における屋外側の端部を確実にシールすることができる。
【００２２】
換気ファンが搭載された浴室暖房機の場合は、以上のように構成された換気アダプタを単独で外壁の壁面に固定することになるが、換気ファンユニットを屋外に設置するタイプの浴室暖房機の場合は、前記換気アダプタと、前記換気アダプタに装着されるケーシングと、前記ケーシング内に収容される換気ファンとを備えた請求項２に係る換気ファンユニットのように、前記換気アダプタを換気ファンユニットに組み込んだ状態で外壁の壁面に固定することによって、同様の効果を実現することができる。
【発明を実施するための最良の形態】
【００２３】
以下、実施の形態について図面を参照して説明する。図１は、浴室内の湿度の高い空気を屋外に排気するための換気ファンユニット２が屋外に設置されるタイプの浴室暖房乾燥機１を、浴室を形成している外壁Ｗの壁面に取り付けた状態を示している。
【００２４】
前記浴室暖房乾燥機１は、同図に示すように、その背面と外壁Ｗの壁面との間に数ｍｍ程度の隙間が形成されるように、外壁Ｗにおける浴室側の壁面に固定された取付板３を介して浴室内に据付固定されており、外壁Ｗには、浴室暖房乾燥機１の背面と外壁Ｗの壁面との間に形成された隙間から吸い込まれる浴室内の空気を屋外に排気するための換気穴ＥＨが、浴室暖房乾燥機１の設置領域内を貫通するように形成されている。
【００２５】
換気穴ＥＨには、浴室内の空気を屋外に排気する際、換気穴ＥＨから外壁Ｗ内に湿度の高い浴室内の空気が進入しないように、換気パイプＥＰが挿通されており、この換気パイプＥＰは、浴室側の端部がゴムブッシュ１０によって、屋外側の端部が換気ファンユニット２の構成要素である換気アダプタ２０によって、それぞれ固定されている。
【００２６】
前記ゴムブッシュ１０は、図３（ａ）〜（ｃ）に示すように、換気穴ＥＨに挿通される換気パイプＥＰの一端側（浴室側の端部）に嵌め込まれる筒状の本体部１１と、この本体部１１の一端側から外側に張り出すフランジ部１２と、このフランジ部１２の外面から外側に突出する４本の突起１３とから構成されており、このゴムブッシュ１０が一端側に嵌め込まれた換気パイプＥＰを、浴室側から換気穴ＥＨに挿通してゴムブッシュ１０の本体部１１を換気穴ＥＨに嵌着すると、図１に示すように、換気穴ＥＨに挿通された換気パイプＥＰの一端側がゴムブッシュ１０を介して換気穴ＥＨに固定されるようになっている。なお、換気パイプＥＰの一端側に嵌め込まれたゴムブッシュ１０は、本体部１１の外周面及び換気パイプＥＰの外周面の双方を覆うようにアルミニウムテープを巻き付けることによって、換気パイプＥＰに固定されている。
【００２７】
また、ゴムブッシュ１０を換気穴ＥＨに嵌着する際は、フランジ部１２の内面に全周にわたって予めシール材を塗布しておき、フランジ部１２の内面を外壁の壁面に密着させることによって、シール材を介してフランジ部１２を浴室の壁面にシールすることで、換気穴ＥＨと換気パイプＥＰとの間に浴室側から湿度の高い空気が進入しないようになっている。
【００２８】
このようにして、換気穴ＥＨに挿通された換気パイプＥＰの一端側をゴムブッシュ１０によって固定した後、浴室暖房乾燥機１を取付板３を介して外壁Ｗにおける浴室側の壁面に据付固定することになるが、浴室暖房乾燥機１が外壁Ｗの壁面に据付固定された状態では、図１に示すように、ゴムブッシュ１０のフランジ部１２から突出している突起１３が浴室暖房乾燥機１の背面に当接するようになっている。なお、浴室暖房乾燥機１の背面は凹凸状に形成されているので、突起１３の一部は、その先端が浴室暖房乾燥機１の背面に沿うように屈曲した状態となっており、屈曲した突起１３の弾性力によって、ゴムブッシュ１０のフランジ部１２が外壁Ｗの壁面に押し付けられるようになっている。
【００２９】
前記換気ファンユニット２は、図１及び図４（ａ）〜（ｄ）に示すように、外壁Ｗにおける屋外側の壁面に固定される換気アダプタ２０と、この換気アダプタ２０にビス止めされるケーシング３０と、このケーシング３０内において換気アダプタ２０に装着される換気ファン４０とから構成されており、前記ケーシング３０には、換気ファン４０の吐出口４１に対応する位置に、メッシュによって覆われた排気口３１が形成されていると共に、浴室暖房乾燥機１から換気パイプＥＰを通して導かれる温水循環用の接続チューブＨＣ（図１参照）及び電線類を屋外に引き出すために、その両側面及び底面に、周囲が薄肉に形成された開口可能なノックアウト部３２ａ、３２ｂ、３２ｃが設けられている。
【００３０】
前記換気アダプタ２０は、図５（ａ）、（ｂ）に示すように、外壁Ｗの屋外側の壁面にビス止めするためのビス孔２１ａが形成された基板２１と、この基板２１の中央部において内面側に突出した、換気パイプＥＰの端部に挿入される筒状のパイプ接続口２２と、このパイプ接続口２２の周囲に形成された、換気パイプＥＰの端部が嵌り込む環状の嵌合溝２３と、この嵌合溝２３を取り囲むように、僅かに窪んだ所定幅の環状のシール材塗布領域２４と、パイプ接続口２２を取り囲むように基板２１の外面側に突出した筒状のファン接続口２５とを備えており、このファン接続口２５には、換気ファン４０の吸込口部が接続されるようになっている。
【００３１】
以上のように構成された換気アダプタ２０は、図１及び図２に示すように、嵌合溝２３内にシール材ＳＭを充填すると共にシール材塗布領域２４にシール材ＳＭを塗布した後、換気穴ＥＨに挿通された換気パイプＥＰの屋外側の端部にパイプ接続口２２を差し込むようにして嵌合溝２３に換気パイプＥＰの端部を嵌め込んだ状態で、外壁Ｗの壁面に基板２１をビス止めすると、換気パイプＥＰの屋外側の端部が換気アダプタ２０によって固定され、嵌合溝２３に充填されたシール材ＳＭによって嵌合溝２３と換気パイプＥＰの端部とがシールされると共に、シール材塗布領域２４に塗布されたシール材ＳＭによって基板２１と外壁Ｗの壁面とがシールされる。
【００３２】
従って、換気パイプＥＰを通って屋外に排出される浴室内の湿度の高い空気が、換気アダプタ２０のパイプ接続口２２部分から換気穴ＥＨと換気パイプＥＰとの間に進入することがなく、換気ファン４０によって一旦屋外に排気された浴室内の湿度の高い空気が、基板２１と外壁Ｗの壁面との間から換気穴ＥＨと換気パイプＥＰとの間に進入することもない。
【００３３】
以上のように、上述したゴムブッシュ１０は、フランジ部１２が外壁Ｗの壁面に密着するように、本体部１１を浴室側から換気穴ＥＨに嵌着した状態で、フランジ部１２の外面から突出する突起１３が、外壁Ｗの壁面に取り付けられた浴室暖房乾燥機１の背面に当接するようになっているので、外壁Ｗの壁面に取り付けた浴室暖房乾燥機１の背面と外壁Ｗの壁面との間に浴室内の空気を吸い込ませるための隙間が形成される場合であっても、浴室暖房乾燥機１の背面と外壁Ｗの壁面との間で、換気穴ＥＨに嵌着されたゴムブッシュ１０が浴室側に動くことがなく、フランジ部１２が外壁Ｗの壁面に密着した状態に確実に保持される。
【００３４】
従って、屋外側において換気アダプタ２０を取り付ける際に、換気パイプＥＰが浴室側に押されても、換気パイプＥＰが浴室側に動くことがないので、ゴムブッシュ１０のフランジ部１２と外壁Ｗの壁面との間にシール切れが発生することがなく、浴室側において施された初期のシール状態を確実に保持することができる。
【００３５】
また、上述した換気アダプタ２０を用いたシール構造では、従来のシール構造のように、換気穴ＥＨに挿通された換気パイプＥＰと換気穴ＥＨとの間にシール材を充填することによって、換気穴ＥＨと換気パイプＥＰとの隙間を直接シールしているわけではないので、換気パイプＥＰの屋外側の端部を換気アダプタ２０に接続する際や、換気パイプＥＰが接続された換気アダプタ２０を外壁Ｗの壁面に固定する際、換気パイプＥＰの屋外側の端部が換気穴ＥＨの中でその径方向に動いたとしてもシール破壊（シール不良）が発生することはなく、換気穴ＥＨにおける屋外側の端部を確実にシールすることができる。
【００３６】
なお、上述した実施形態では、換気アダプタ２０が組み込まれた換気ファンユニット２を、屋外に別途設置するタイプの浴室暖房乾燥機１について説明したが、本発明の換気アダプタ及びこれを用いたシール構造は、こういったタイプの浴室暖房乾燥機に限定されるものではなく、換気ファンが搭載された浴室暖房乾燥機についても適用することができ、その場合は、換気アダプタを単独で外壁の壁面に固定すればよい。
【図面の簡単な説明】
【００３７】
【図１】この発明にかかる換気アダプタを用いて、浴室を形成している外壁を貫通する換気穴に挿通された換気パイプを固定した状態を示す断面図である。
【図２】図１における二点鎖線で囲われた部分を示す拡大図である。
【図３】（ａ）は換気穴に挿通された換気パイプの一端側を固定するゴムブッシュを示す断面図、（ｂ）は同上のゴムブッシュを示す側面図、（ｃ）は同上のゴムブッシュを示す正面図である。
【図４】（ａ）は同上の換気アダプタが組み込まれた換気ファンユニットを示す正面図、（ｂ）は同上の換気ファンユニットを示す右側面図、（ｃ）は同上の換気ファンユニットを示す左側面図、（ｄ）は同上の換気ファンユニットを示す底面図である。
【図５】（ａ）は同上の換気アダプタの内面側を示す平面図、（ｂ）は同上の換気アダプタを示す断面図である。
【図６】（ａ）は従来のゴムブッシュを示す断面図、（ｂ）は同上のゴムブッシュを示す側面図、（ｃ）は同上のゴムブッシュを示す正面図である。
【図７】従来の換気アダプタを示す断面図である。
【図８】（ａ）、（ｂ）は従来のゴムブッシュ及び換気アダプタを用いて、外壁に形成された換気穴に換気パイプを挿通固定する方法を示す工程図である。
【図９】（ａ）、（ｂ）は従来のゴムブッシュ及び換気アダプタを用いて、外壁に形成された換気穴に換気パイプを挿通固定する方法を示す工程図である。
【図１０】（ａ）、（ｂ）は従来のゴムブッシュ及び換気アダプタを用いて換気穴に挿通固定された換気パイプのシール構造の問題点を説明するための説明図である。
【符号の説明】
【００３８】
１  浴室暖房乾燥機（浴室暖房機）
２  換気ファンユニット
３  取付板
１０  ゴムブッシュ
１１  本体部
１２  フランジ部
１３  突起
２０  換気アダプタ
２１  基板
２２  パイプ接続口（接続口）
２３  嵌合溝
２４  シール材塗布領域
３０  ケーシング
３１  排気口
４０  換気ファン
４１  吐出口
ＥＨ  換気穴
ＥＰ  換気パイプ
ＳＭ  シール材
Ｗ  外壁
【図１】
2004317121.tif 000003
【図２】
2004317121.tif 000004
【図３】
2004317121.tif 000005
【図４】
2004317121.tif 000006
【図５】
2004317121.tif 000007
【図６】
2004317121.tif 000008
【図７】
2004317121.tif 000009
【図８】
2004317121.tif 000010
【図９】
2004317121.tif 000011
【図１０】
2004317121.tif 000012